(57)【要約】【課題】直感的な操作を可能とすることができる画像処理装置等を提供すること。【解決手段】ＭＦＰは、複数種類の画像処理（スキャン処理、ファックス処理、印刷処理など）のうちの何れかの画像処理を実行するプリンタ、スキャナ、モデムなどを備えている。またＭＦＰは、実行する画像処理の選択を受け付ける。ＭＦＰは、携帯電話と通信するＮＦＣタグや無線送受信部３６を備えている。ＭＦＰは、携帯電話との通信確立を開始した時点において選択が受け付けられている画像処理の種類を示す選択機能情報を、携帯電話へ送信する。ＭＦＰは、携帯電話から選択機能情報に対応する画像処理の実行指示情報を受信することに応じて、受信した実行指示情報に基づいた画像処理を実行する。【選択図】図８
2013214806.tif 000002
【特許請求の範囲】
【請求項１】
複数種類の画像処理のうちの何れかの画像処理を実行する画像処理実行手段と、
前記画像処理実行手段により実行する画像処理の選択を受け付ける選択受付手段と、
情報処理端末と通信する通信手段と、を備え、
前記通信手段は、前記情報処理端末との通信確立を開始した時点において前記選択受付手段により選択が受け付けられている画像処理の種類を示す画像処理情報を前記情報処理端末へ送信し、
前記画像処理実行手段は、前記情報処理端末から前記画像処理情報に対応する画像処理の実行指示情報を前記通信手段を介して受信することに応じて、受信した実行指示情報に基づいた画像処理を実行することを特徴とする画像処理装置。
【請求項２】
前記通信手段は、
前記情報処理端末との距離が所定距離以内になることに応じて第１種通信を確立する第１種通信手段と、
通信設定情報を用いて第２種通信を確立する第２種通信手段と、
をさらに備え、
前記第１種通信の通信可能距離は前記第２種通信の通信可能距離よりも小さく、
前記第２種通信の通信速度は前記第１種通信の通信速度よりも速く、
前記第１種通信手段は、前記画像処理情報を前記第１種通信を用いて前記情報処理端末へ送信し、前記情報処理端末と前記第２種通信手段との間の前記第２種通信を前記情報処理端末に確立させるために、前記通信設定情報を前記第１種通信を用いて前記情報処理端末へ送信し、
前記第２種通信手段は、前記第２種通信が確立した後に、前記第２種通信を用いて前記実行指示情報を受信することを特徴とする請求項１に記載の画像処理装置。
【請求項３】
前記画像処理実行手段が実行している画像処理に関する各種の設定項目に対する設定値を受け付ける設定受付手段と、
前記設定受付手段により受け付けた設定値を記憶するタグ記憶部と、
を備え、
前記第１種通信手段は、前記情報処理端末との通信確立を開始した時点において前記タグ記憶部に記憶されている前記設定値を示す設定値情報を、前記第１種通信を用いて前記情報処理端末へ送信し、
前記第２種通信手段は、前記画像処理情報に対応する画像処理に関する各種の設定項目に対する設定値を含む前記実行指示情報を受信し、
前記画像処理実行手段は、前記実行指示情報が含む設定値に従い画像処理を実行することを特徴とする請求項１または２に記載の画像処理装置。
【請求項４】
前記選択受付手段は、前記画像処理の種類が変更されることに応じて、前記画像処理情報を更新して前記タグ記憶部に記憶させ、
前記通信手段は、前記タグ記憶部に記憶されている前記画像処理情報を前記情報処理端末へ送信することを特徴とする請求項１〜３の何れか１項に記載の画像処理装置。
【請求項５】
前記画像処理装置は、原稿をスキャンするスキャン部を備えており、
前記画像処理は、前記スキャン部を用いてスキャンデータを生成する処理を含んでおり、
前記通信手段は、前記スキャンデータを生成する旨の前記実行指示を前記情報処理端末から受信し、
受信した前記実行指示に従い得られたスキャンデータを前記情報処理装置へ送信することを特徴とする請求項１〜４の何れか１項に記載の画像処理装置。
【請求項６】
前記画像処理装置は、画像データを外部ネットワークと送受信する画像送受信手段を備えており、
前記画像処理は、前記画像送受信手段を介して前記画像データを送信する処理を含んでおり、
前記通信手段は、前記画像データと前記画像データを前記画像送受信手段を介して送信する旨の前記実行指示情報とを前記情報処理端末から受信することを特徴とする請求項１〜５の何れか１項に記載の画像処理装置。
【請求項７】
前記画像処理装置は、画像データを外部ネットワークと送受信する画像送受信手段を備えており、
記憶部は前記画像送受信手段を介して受信した前記画像データを記憶しており、
前記画像処理は、前記記憶部に記憶されている前記画像データを表示または印刷する処理を含んでおり、
前記通信手段は、前記画像データを送信する旨の前記実行指示情報を前記情報処理端末から受信し、
前記画像データを前記情報処理端末へ送信することを特徴とする請求項１〜６の何れか１項に記載の画像処理装置。
【請求項８】
前記画像処理装置は、画像データに基づいて印刷を実行する印刷部を備えており、
前記画像処理は、前記印刷部を用いて印刷を実行する処理を含んでおり、
前記通信手段は、前記画像データと前記画像データの印刷を実行する旨の前記実行指示情報を前記情報処理端末から受信し、
前記画像処理実行手段は、前記通信手段が受信した前記画像データに基づいて印刷を実行することを特徴とする請求項１〜７の何れか１項に記載の画像処理装置。
【請求項９】
情報処理端末のコンピュータが読み取り可能なプログラムであって、
前記コンピュータを、
複数種類の画像処理の各々に対応して備えられており、対応する画像処理の実行指示を受け付ける受付手段と、
前記受付手段により受け付けられた実行指示を前記複数種類の画像処理を実行可能な画像処理装置に送信する送信手段と、
前記複数種類の画像処理のいずれか選択する選択手段と、
画像処理装置と通信する通信手段と、
して機能させ、
前記通信手段は、前記通信手段が前記画像処理装置との通信確立を開始した時点において前記画像処理装置が選択している画像処理の種類を示す画像処理情報を前記画像処理装置から受信し、
前記選択手段は、受信した前記画像処理情報に対応する前記受付手段を選択し、
前記選択手段で選択された受付手段は、前記画像処理情報に対応する画像処理の実行指示を受け付けることを特徴とするプログラム。
【発明の詳細な説明】
【技術分野】
【０００１】
本明細書に開示の技術は、直感的な操作を可能とすることができる画像処理装置、情報処理端末のプログラムおよび画像処理システムに関する。
【背景技術】
【０００２】
特許文献１には、ＩＣチップリーダを備える複合機が開示されている。原稿には、非接触ＩＣチップが埋め込まれている。複合機は、原稿が載置されると、原稿に埋め込まれている非接触ＩＣチップから、ＩＣチップリーダを用いて原稿タイプ情報を読み取る。複合機は、原稿タイプ情報の組み合わせに対応する起動アプリケーションを検索し、検索したアプリケーションを起動する。
【先行技術文献】
【特許文献】
【０００３】
【特許文献１】特開２００８−７９１５１号公報
【発明の概要】
【発明が解決しようとする課題】
【０００４】
情報処理端末（携帯電話、ノートパソコンなど）と画像処理装置（多機能機など）との間で無線通信（ＮＦＣ（Near Field Communication）、無線ＬＡＮなど）を確立し、データを通信する技術が知られている。また、画像処理装置には、スキャン機能、ファックス機能、印刷機能などの多くの種類の機能が搭載されている場合がある。この場合、画像処理装置と情報処理端末との間でデータ通信をする際に、画像処理装置で動作している機能に対応させて、情報処理端末を動作させる必要がある場合がある。すると、画像処理装置で動作している機能の種類を確認する作業や、情報処理端末で起動するアプリケーションを選択する作業などの、各種の作業が必要となるため、使用者にとって必ずしも便利とは言えなかった。本明細書では、このような不便性を解消することができる技術を提供する。
【課題を解決するための手段】
【０００５】
本明細書に開示の記載の画像処理装置は、複数種類の画像処理のうちの何れかの画像処理を実行する画像処理実行手段と、画像処理実行手段により実行する画像処理の選択を受け付ける選択受付手段と、情報処理端末と通信する通信手段と、を備え、通信手段は、情報処理端末との通信確立を開始した時点において選択受付手段により選択が受け付られている画像処理の種類を示す画像処理情報を情報処理端末へ送信し、画像処理実行手段は、情報処理端末から画像処理情報に対応する画像処理の実行指示情報を通信手段を介して受信することに応じて、受信した実行指示情報に基づいた画像処理を実行することを特徴とする。
【０００６】
これにより、情報処理端末と画像処理装置との間の通信を確立するという操作によって、通信確立を開始した時点において画像処理実行手段が実行している画像処理の種類を、情報処理端末に報知することができる。そして、報知した画像処理の種類に対応する実行指示情報を、情報処理端末から受信することができる。よって、画像処理装置で実行している画像処理の種類を確認する作業などを不要とすることができ、直感的な操作を可能とすることができる。よって、ユーザの利便性を高めることができる。
【０００７】
また、請求項２に記載の画像処理装置では、第１種通信の通信可能距離は第２種通信の通信可能距離よりも小さい。これにより、画像処理装置が複数存在する場合にも、所定距離内に情報処理端末を近接させることで、近接させた画像処理装置を通信対象の画像処理装置として選択することができる。すなわち、第１種通信を用いて、通信対象を特定することが可能となる。また、第２種通信の通信速度は第１種通信の通信速度よりも速い。これにより、第２種通信を用いて、情報処理端末との通信を高速化することが可能となる。以上より、通信対象を直感的に選択する操作と、通信時間の短縮化とを両立することができる。
【０００８】
また、請求項３に記載の画像処理装置では、通信確立を開始した時点において画像処理装置側に設定項目の内容が入力されている場合には、当該設定項目の内容を、情報処理端末側に取得させることができる。よって、情報処理端末に設定項目の内容を入力させるための操作を不要とすることができ、直感的な操作を可能とすることができる。よって、ユーザの利便性を高めることができる。
【０００９】
また、請求項４に記載の画像処理装置では、画像処理装置が実行している画像処理の種類を監視することができる。よって、情報処理端末との通信確立を開始した時点において画像処理実行手段が実行している画像処理を、情報処理端末へ的確に報知することができる。
【００１０】
また、請求項５に記載の画像処理装置では、通信確立を開始した時点において画像処理実行手段が実行している画像処理の種類がスキャン処理である旨を、情報処理端末に報知することができる。よって、情報処理端末を操作しているユーザにとって、スキャン処理に関連するアプリケーションを選択して起動する、という作業を不要とすることができる。
【００１１】
また、請求項６に記載の画像処理装置では、通信確立を開始した時点において画像処理実行手段が実行している画像処理の種類が、画像データを外部ネットワークと送受信する処理である旨を、情報処理端末に報知することができる。よって、情報処理端末を操作しているユーザにとって、画像データを送受信する処理に関連するアプリケーションを選択して起動する、という作業を不要とすることができる。
【００１２】
また、請求項７に記載の画像処理装置では、通信確立を開始した時点において画像処理実行手段が実行している画像処理の種類が画像データを表示または印刷する処理である旨を、情報処理端末に報知することができる。よって、情報処理端末を操作しているユーザにとって、画像データを表示または印刷する処理に関連するアプリケーションを選択して起動する、という作業を不要とすることができる。
【００１３】
また、請求項８に記載の画像処理装置では、通信確立を開始した時点において画像処理実行手段が実行している画像処理の種類が印刷処理である旨を、情報処理端末に報知することができる。よって、情報処理端末を操作しているユーザにとって、印刷処理に関連するアプリケーションを選択して起動する、という作業を不要とすることができる。
【００１４】
なお、上記の技術を実現するためのコンピュータプログラム、及び、システムも、新規で有用である。
【図面の簡単な説明】
【００１５】
【図１】通信システムのブロック図である。
【図２】ＭＦＰの画像処理を説明するフローチャートである。
【図３】ＭＦＰの画像処理を説明するフローチャートである。
【図４】ＭＦＰの画像処理を説明するフローチャートである。
【図５】ＭＦＰの画像処理を説明するフローチャートである。
【図６】ＭＦＰの画像処理を説明するフローチャートである。
【図７】ＭＦＰのＮＦＣ通信処理を説明するフローチャートである。
【図８】携帯電話との連携を説明するフローチャートである。
【図９】携帯電話との連携を説明するフローチャートである。
【図１０】携帯電話との連携を説明するフローチャートである。
【図１１】通信設定情報を更新する処理を説明するフローチャートである。
【図１２】携帯電話で行われる処理を説明するフローチャートである。
【図１３】携帯電話で行われる処理を説明するフローチャートである。
【図１４】携帯電話で行われる処理を説明するフローチャートである。
【図１５】携帯電話で行われる処理を説明するフローチャートである。
【発明を実施するための形態】
【００１６】
＜通信システム１の構成＞
図１に、本実施形態として例示される通信システム１のブロック図を示す。通信システム１は、携帯電話１０、ＭＦＰ（Multifunction Peripheral）５１、アクセスポイント６２、基地局６１を備える。携帯電話１０およびＭＦＰ５１は、既知の無線ＬＡＮ端末装置としての機能を備える。またＭＦＰ５１は、電話回線網１００を使用した通信機能を備える。アクセスポイント６２は、既知の無線ＬＡＮアクセスポイントとしての機能を備える。
【００１７】
ＭＦＰ５１は、複数の機能を備える多機能周辺装置である。複数の機能の例としては、ファックス送信機能、受信ファックス閲覧機能、スキャン機能、印刷機能、などが挙げられる。ファックス送信機能は、電話回線網１００を介して不図示の外部の装置へ画像データを送信する機能である。受信ファックス閲覧機能は、電話回線網１００を介して不図示の外部の装置から画像データを受信し、受信した画像データを出力する機能である。スキャン機能は、スキャナ２０を用いて原稿をスキャンし、画像データを生成する機能である。印刷機能は、プリンタ１９を用いて画像データを印刷用紙に印刷する機能である。
【００１８】
＜携帯電話１０の構成＞
携帯電話１０の構成について説明する。図１に示すように、携帯電話１０は、制御部６、無線送受信部１５、無線アンテナ部１６、ボタン入力部１７、パネル１８、携帯電話送受信部２２、携帯電話アンテナ部２３、カメラ部２７、ＮＦＣ（Near Field Communication）リーダ３０、を主に備えている。また、通話や音声入力を行うために、スピーカ３とマイク４とを備えている。これらの構成要素は、入出力ポート７を介して互いに通信可能とされている。
【００１９】
制御部６は、ＣＰＵ（Central Processing Unit）１１および記憶部１２を備えている。ＣＰＵ１１は、記憶部１２に記憶されるプログラムを実行する。記憶部１２は、ＲＡＭ（Random Access Memory）、ＲＯＭ（Read Only Memory）、フラッシュメモリ、ＨＤＤ（ハードディスク）、ＣＰＵ１１が備えるバッファなどが組み合わされて構成されている。記憶部１２は、プログラム２１を記憶する。プログラム２１は、制御アプリケーション２６、印刷アプリケーション２８、スキャンアプリケーション２８ａ、ファックス送信アプリケーション２８ｂ、受信ファックス閲覧アプリケーション２８ｃ、ＯＳ（Operating System）２９等を含んでいる。また記憶部１２は、画像データを記憶する。記憶部１２に記憶される画像データは、ＭＦＰ５１との通信処理や、カメラ部２７で実行される撮影処理などの各種の処理によって取得されたデータである。
【００２０】
ＯＳ２９は、携帯電話送受信部２２に通信を実行させるためのプログラムや、無線送受信部１５に無線ＬＡＮ通信２０１を実行させるためのプログラム等を含む。またＯＳ２９は、ＮＦＣリーダ３０などの各種のハードウェアが取得した情報を各プログラムが取得するための、もしくは、各プログラムが各種ハードウェアに指示をするためのＡＰＩ（Application Programming Interface）を提供するプログラムでもある。また制御アプリケーション２６は、印刷アプリケーション２８、スキャンアプリケーション２８ａ、ファックス送信アプリケーション２８ｂ、受信ファックス閲覧アプリケーション２８ｃなどに対する各種の制御（例：各アプリケーションを起動する処理）をＭＦＰ５１に実行させるためのプログラムである。また印刷アプリケーション２８は、後述する印刷処理をＭＦＰ５１に実行させるためのプログラムである。スキャンアプリケーション２８ａは、後述するスキャン処理をＭＦＰ５１に実行させるためのプログラムである。ファックス送信アプリケーション２８ｂは、後述するファックス送信処理をＭＦＰ５１に実行させるためのプログラムである。受信ファックス閲覧アプリケーション２８ｃは、ＭＦＰ５１で受信した画像データを携帯電話１０に送信させるためのプログラムである。
【００２１】
無線送受信部１５は、無線アンテナ部１６を介して、無線ＬＡＮ方式（電波を用いたデータ通信方式）のインフラストラクチャーモード（複数の無線ＬＡＮ端末装置が、アクセスポイントを介してデータ通信するモード）に準拠する無線ＬＡＮ通信２０１を行う。そして、無線送受信部１５により、各種のデータを構成するデジタル信号が送受信される。なお、無線ＬＡＮ方式の例としては、例えばＩＥＥＥ８０２．１１ａ／ｂ／ｇ／ｎの規格で定められる通信方式が挙げられる。ＮＦＣリーダ３０は、ＮＦＣタグ４６との間でＮＦＣ通信２００を行う。ＮＦＣ通信２００は、近接場型の無線通信であり、通信エリアがおよそ１メートル以内の極短距離である通信である。ＮＦＣ通信の種類には、赤外線通信や、ブルートゥース（登録商標）が含まれる。ＮＦＣ通信２００を確立するためには、通信設定のための各種の情報（ＩＰアドレス、ＳＳＩＤなど）は不要である。また、携帯電話送受信部２２は、携帯電話アンテナ部２３を介して、基地局６１との間で携帯電話通信の方式に準拠する無線通信２１０を行う。
【００２２】
ボタン入力部１７は、携帯電話１０の使用者による操作を受け付ける操作手段である。ボタン入力部１７は、タッチパネルとして、パネル１８と一体に構成されている。パネル１８は、携帯電話１０の各種機能情報を表示する。カメラ部２７は、ＣＣＤ等により所定範囲を撮影して画像データを取得する部位である。
【００２３】
＜ＭＦＰ５１の構成＞
ＭＦＰ５１の構成について説明する。ＭＦＰ５１は、プリンタ１９、スキャナ２０、ＣＰＵ３２、記憶部３３、無線送受信部３６、無線アンテナ部３７、ボタン入力部３８、パネル３９、モデム４０、電話回線接続部４１、ＮＦＣタグ４６、表示灯４５、を主に備えている。これらの構成要素は、入出力ポート４３を介して互いに通信可能とされている。
【００２４】
ＮＦＣタグ４６は、ＮＦＣリーダ３０との間でＮＦＣ通信２００を行う。ＮＦＣタグ４６は、タグ記憶部４７を備える。タグ記憶部４７は、不揮発性の記憶部である。タグ記憶部４７は、ＮＦＣタグ４６からＮＦＣリーダ３０へ送信するデータを記憶しておくための記憶部である。タグ記憶部４７には、選択機能情報、通信設定情報、設定値、が記憶されている。
【００２５】
選択機能情報は、ＭＦＰ５１が有する複数の機能（ファックス送信機能、受信ファックス閲覧機能、スキャン機能、印刷機能）のうち、何れの機能が選択されているかを表す情報である。なお、ここでいう「選択」は必ずしもユーザにより選択されたことを意味しない。通信設定情報は、携帯電話１０が第１ＭＦＰ５１の無線送受信部３６と無線ＬＡＮ通信２０３を確立するための、各種の設定を含んでいる。通信設定情報に含まれている設定の一例としては、アクセスポイント情報、ＭＦＰ−ＩＰアドレス、などが挙げられる。アクセスポイント情報の一例としては、アクセスポイント６２のＳＳＩＤが挙げられる。ＭＦＰ−ＩＰアドレスの一例としては、ＭＦＰ５１のＩＰアドレスが挙げられる。
【００２６】
設定値は、ＭＦＰ５１の各機能（ファックス送信機能、受信ファックス閲覧機能、スキャン機能、印刷機能）に関する各種の設定である。ファックス送信機能に関する設定値の一例としては、送信先のファックス番号、原稿サイズ、通信速度、通信モード（ファイン、通常など）などが挙げられる。受信ファックス閲覧機能に関する設定値の一例としては、閲覧対象ファックスデータの識別情報が挙げられる。スキャン機能に関する設定値の一例としては、解像度、保存ファイル形式（ＰＤＦ、ＪＰＥＧ等）などが挙げられる。印刷機能に関する設定値の一例としては、印刷用紙のサイズ、カラー印刷の有無、両面印刷の有無などが挙げられる。
【００２７】
ＣＰＵ３２は、記憶部３３に記憶されているプログラムを実行する。なお、記憶部３３は、ＲＡＭ（Random Access Memory）、ＲＯＭ（Read Only Memory）、フラッシュメモリ、ＨＤＤ（ハードディスク）などが組み合わされて構成されているとしてもよい。記憶部３３は、画像データ、データリスト、実行指示情報フラグを記憶する。画像データは、スキャナ２０によるスキャン処理やモデム４０によるファックス受信処理などの各種の処理によって取得されたデータである。データリストは、ファックス受信処理によって取得された画像データであって、記憶部３３に記憶されている画像データの各々を識別するためのデータ識別情報のリスト（一覧）である。データ識別情報の一例としては、画像データのファイル名が挙げられる。実行指示情報フラグは、携帯電話１０から実行指示情報を受信したか否かを記憶するためのフラグである。
【００２８】
無線送受信部３６は、無線アンテナ部３７を介してアクセスポイント６２との間で無線ＬＡＮ通信２０３を行うことにより、各種のデータを構成するデジタル信号を送受信する。無線ＬＡＮ通信２０３は、ＮＦＣ通信２００よりも通信可能距離が大きい通信である。また、無線ＬＡＮ通信２０３の通信速度は、ＮＦＣ通信２００の通信速度よりも高速である。
【００２９】
ボタン入力部３８は、ＭＦＰ５１の各機能を実行するためのキーである。ボタン入力部３８は、タッチパネルとして、パネル３９と一体に構成されていてもよい。パネル３９は、ＭＦＰ５１の各種機能情報を表示する。プリンタ１９は、印刷用紙に印刷を実行する部位である。スキャナ２０は、紙の原稿をスキャンして、画像データを生成する部位である。モデム４０は、ファクシミリ機能によって送信する原稿データを、電話回線網１００に伝送可能な信号に変調して電話回線接続部４１を介して送信したり、電話回線網１００から電話回線接続部４１を介して入力された信号を受信し、原稿データへ復調するものである。表示灯４５は、ＬＥＤ（Light Emitting Diode）等を備えており、ＭＦＰ５１の各種ステータスを使用者に報知するための部位である。
【００３０】
携帯電話１０とアクセスポイント６２とは、無線ＬＡＮ方式のインフラストラクチャーモードに準拠する無線ＬＡＮ通信２０１を行うことが可能とされている。また、ＭＦＰ５１とアクセスポイント６２とは、無線ＬＡＮ方式のインフラストラクチャーモードに準拠する無線ＬＡＮ通信２０３を行うことが可能とされている。よって、携帯電話１０およびＭＦＰ５１の各々がアクセスポイント６２へアクセスし、無線ＬＡＮのインフラストラクチャーモードに準拠する無線ＬＡＮ通信２０１および２０３の各々を行える状態になることで、携帯電話１０とＭＦＰ５１との間でデータ通信をすることが可能になる。
【００３１】
また、携帯電話１０とＭＦＰ５１とは、ＮＦＣ通信２００を行うことが可能とされている。よって、携帯電話１０をＭＦＰ５１に近接させる（例：かざす）ことにより、ＮＦＣ通信２００を行える状態になることで、携帯電話１０とＭＦＰ５１との間で各種の情報を通信することが可能になる。
【００３２】
＜通信システムの動作＞
第１実施形態に係る通信システム１の動作を、図２〜図１５を用いて説明する。図２〜図１１は、ＭＦＰ５１で行われる処理を説明するフローである。図２〜図６は、画像処理を説明するフローである。図７は、ＮＦＣ通信処理を説明するフローである。図８〜図１０は、携帯電話との連携処理を説明するフローである。図１１は、通信設定情報を更新する処理を説明するフローである。図７〜図１１の処理は、図２〜図６の処理に割込んで実行される処理である。すなわち、図７〜図１１の処理は、図２〜図６の処理のいずれのステップを実行しているときに開始されてもよい。図１２〜図１５は、携帯電話１０で行われる処理を説明するフローである。
【００３３】
＜ＭＦＰの動作＞
図２〜図６を用いて、ＭＦＰ５１で行われる画像処理を説明する。Ｓ７８において、ＣＰＵ３２は、複数の機能（ファックス送信機能、受信ファックス閲覧機能、スキャン機能、印刷機能）のうちの何れかの機能が、利用者よって選択されたか否かを判断する。例えば、パネル３９内に複数の機能の各々を示すアイコンが複数表示されており、何れかのアイコンが利用者にタッチされることで、タッチされたアイコンに対応する機能が選択されるとしてもよい。何れの機能も選択されていない場合（Ｓ７８：ＮＯ）にはＳ８０へ進む。Ｓ８０においてＣＰＵ３２は、モデム４０が画像データを電話回線網１００から受信したか否かを判断する。受信していない場合（Ｓ８０：ＮＯ）にはＳ７８へ戻る。一方、受信した場合（Ｓ８０：ＹＥＳ）にはＳ８１へ進み、受信した画像データを記憶部３３に記憶させる。そしてＳ７８へ戻る。
【００３４】
一方、Ｓ７８において何れかの機能が選択された場合（Ｓ７８：ＹＥＳ）には、Ｓ８２へ進み、ＣＰＵ３２は、選択された機能に対応する選択機能情報を、ＮＦＣタグ４６のタグ記憶部４７に上書き記憶させる。Ｓ８４においてＣＰＵ３２は、利用者によって選択された機能を実行するための操作画面を、パネル３９に表示する。
【００３５】
Ｓ８５においてＣＰＵ３２は、ユーザによって選択された機能を用いた画像処理の実行を開始する。印刷機能が選択されている場合（Ｓ８５：印刷）には、Ｓ８６（図３）へ進む。
【００３６】
Ｓ８６において、ＣＰＵ３２は、詳細設定の入力開始命令を受け付けたか否かを判断する。入力開始命令は、例えば、ボタン入力部３８を介して受け付けられてもよい。入力開始命令を受け付けていない場合（Ｓ８６：ＮＯ）にはＳ９３へ進み、入力開始命令を受け付けた場合（Ｓ８６：ＹＥＳ）にはＳ８８へ進む。Ｓ８８において、ＣＰＵ３２は、設定値入力受付画面をパネル３９に表示する。設定値入力受付画面は、Ｓ７８で選択された機能（印刷機能）に関する各種の設定値の入力を受け付けるための画面である。
【００３７】
Ｓ９０において、ＣＰＵ３２は、設定値が入力されたか否かを判断する。設定値の入力は、例えばボタン入力部３８を介して受け付けられてもよい。入力されていない場合（Ｓ９０：ＮＯ）にはＳ９０へ戻り、入力された場合（Ｓ９０：ＹＥＳ）にはＳ９２へ進む。Ｓ９２においてＣＰＵ３２は、入力された設定値をタグ記憶部４７に記憶させる。
【００３８】
Ｓ９３においてＣＰＵ３２は、ＭＦＰ５１での画像処理（印刷処理）を終了する旨の終了指示が入力されたか否かを判断する。終了指示の入力は、例えばボタン入力部３８を介して受け付けられてもよい。終了指示が入力された場合（Ｓ９３：ＹＥＳ）にはＳ１０８へ進み、入力されていない場合（Ｓ９３：ＮＯ）にはＳ９４へ進む。
【００３９】
Ｓ９４において、ＣＰＵ３２は、記憶部３３に記憶されているいずれかの画像データが、印刷処理対象のデータ（処理データ）として選択されているか否かを判断する。何れかの画像データが処理データとして選択されている場合（Ｓ９４：ＹＥＳ）にはＳ１００へ進み、何れの画像データも処理データとして選択されていない場合（Ｓ９４：ＮＯ）にはＳ９７へ進む。Ｓ９７においてＣＰＵ３２は、処理データの選択を受け付ける。処理データの選択は、例えば、記憶部３３に記憶されている画像データ名の一覧がパネル３９に表示され、何れかの画像データ名を利用者がタッチすることで行われてもよい。
【００４０】
Ｓ１００においてＣＰＵ３２は、印刷処理の実行命令の入力が受け付けられたか否かを判断する。印刷処理の実行命令は、例えば、ＭＦＰ５１のボタン入力部３８を介して受け付けられてもよい。印刷処理の実行命令の入力が受け付けられていない場合（Ｓ１００：ＮＯ）は、携帯電話１０からの実行指示情報の受信（Ｓ１１６）、または、ＭＦＰ５１への印刷処理の実行命令の入力（Ｓ１００：ＹＥＳ）、の何れか一方を待ち受けている状態である。よってＳ８６へ戻る。
【００４１】
一方、印刷処理の実行命令が入力された場合（Ｓ１００：ＹＥＳ）にはＳ１０１へ進む。Ｓ１０１においてＣＰＵ３２は、印刷処理を開始する。Ｓ１０８においてＣＰＵ３２は、タグ記憶部４７へ記憶させていた選択機能情報（Ｓ８２）および設定値（Ｓ９２）を消去する。また、記憶部３３に記憶されている実行指示情報フラグを「受信無し」にリセットする。そしてＳ７８（図２）へ戻る。
【００４２】
また、ユーザによってスキャン機能が選択されている場合（Ｓ８５：スキャン）には、Ｓ８６ａ（図４）へ進む。Ｓ８６ａ〜Ｓ９３ａまでの各処理の内容は、前述のＳ８６〜Ｓ９３（図３）と同様であるため、説明を省略する。Ｓ１００ａにおいてＣＰＵ３２は、スキャン処理の実行命令の入力が受け付けられたか否かを判断する。スキャン処理の実行命令の入力が受け付けられていない場合（Ｓ１００ａ：ＮＯ）はＳ８６ａへ戻り、入力が受け付けられた場合（Ｓ１００ａ：ＹＥＳ）にはＳ１０１ａへ進む。Ｓ１０１ａにおいてＣＰＵ３２は、スキャン処理を実行して画像データを生成し、生成した画像データを記憶部３３に記憶させる。Ｓ１０８ａの処理内容は、前述のＳ１０８（図３）と同様であるため、説明を省略する。そしてＳ７８（図２）へ戻る。
【００４３】
また、ユーザによってファックス送信機能が選択されている場合（Ｓ８５：ファックス送信）には、Ｓ８６ｂ（図５）へ進む。Ｓ８６ｂ〜Ｓ９３ｂまでの各処理の内容は、前述のＳ８６〜Ｓ９３（図３）と同様であるため、説明を省略する。Ｓ９５においてＣＰＵ３２は、スキャナ２０の原稿台に原稿がセットされたか否かを判断する。セットされていない場合（Ｓ９５：ＮＯ）にはＳ９３ｂへ戻り、セットされた場合（Ｓ９５：ＹＥＳ）にはＳ１００ｂへ進む。Ｓ１００ｂにおいてＣＰＵ３２は、ファックス送信処理の実行命令の入力が受け付けられたか否かを判断する。ファックス送信処理の実行命令の入力が受け付けられていない場合（Ｓ１００ｂ：ＮＯ）はＳ８６ｂへ戻り、入力が受け付けられた場合（Ｓ１００ｂ：ＹＥＳ）にはＳ１０１ｂへ進む。Ｓ１０１ｂにおいてＣＰＵ３２は、スキャンを実行して画像データを生成し、生成した画像データをモデム４０および電話回線網１００を介してファックス送信する。Ｓ１０８ｂの処理内容は、前述のＳ１０８（図３）と同様であるため、説明を省略する。そしてＳ７８（図２）へ戻る。
【００４４】
また、ユーザによって受信ファックス閲覧機能が選択されている場合（Ｓ８５：受信ファックス閲覧）には、Ｓ１５２（図６）へ進む。Ｓ１５２において、ＣＰＵ３２は、選択受付画面をパネル３９に表示させる。選択受付画面は、ファックス受信処理によって取得された画像データ（ファックス受信データ）の中から、閲覧対象のファックス受信データ（閲覧対象ファックスデータ）を選択するための画面である。Ｓ１５４において、ＣＰＵ３２は、閲覧対象ファックスデータの選択が行われたか否かを判断する。選択が実行されていない場合（Ｓ１５４：ＮＯ）にはＳ１５４へ戻り、選択が実行された場合（Ｓ１５４：ＹＥＳ）にはＳ１５６へ進む。
【００４５】
Ｓ１５６において、ＣＰＵ３２は、閲覧対象ファックスデータの識別情報を、設定値としてタグ記憶部４７に記憶させる。閲覧対象ファックスデータの識別情報の一例としては、閲覧対象ファックスデータのファイル名が挙げられる。Ｓ１５８においてＣＰＵ３２は、閲覧対象ファックスデータの画像をパネル３９に表示する。これによりユーザは、閲覧対象ファックスデータにより形成される画像を閲覧することが可能となる。Ｓ１６０においてＣＰＵ３２は、別の閲覧対象ファックスデータの選択を受け付けたか否かを判断する。選択を受け付けた場合（Ｓ１６０：ＹＥＳ）にはＳ１５２へ戻り、選択を受け付けていない場合（Ｓ１６０：ＮＯ）にはＳ１６２へ進む。
【００４６】
Ｓ１６２においてＣＰＵ３２は、ＭＦＰ５１での受信ファックス閲覧処理を終了する旨の終了指示が入力されたか否かを判断する。終了指示が入力されていない場合（Ｓ１６２：ＮＯ）にはＳ１６０へ戻り、入力された場合（Ｓ１６２：ＹＥＳ）にはＳ１６４へ進む。Ｓ１６４の処理内容は、前述のＳ１０８（図３）と同様であるため、説明を省略する。そしてＳ７８（図２）へ戻る。
【００４７】
図７を用いて、ＭＦＰ５１で行われるＮＦＣ通信処理を説明する。Ｓ１１０においてＣＰＵ３２は、携帯電話１０に備えられているＮＦＣリーダ３０が、ＮＦＣタグ４６を中心とする所定距離内に近接したか否かを判断する。所定距離は、例えば１０ｃｍ程度であってもよい。所定距離内に近接していない場合（Ｓ１１０：ＮＯ）にはＳ１１０へ戻り、近接した場合（Ｓ１１０：ＹＥＳ）にはＳ１１１へ進む。Ｓ１１１においてＣＰＵ３２は、ＮＦＣタグ４６とＮＦＣリーダ３０との間でＮＦＣ通信２００を確立させる。
【００４８】
Ｓ１１２においてＣＰＵ３２は、タグ記憶部４７に記憶されている情報を、ＮＦＣタグ４６からＮＦＣリーダ３０へ、ＮＦＣ通信２００を介して送信させる。そしてＳ１１０へ戻る。このとき、ＮＦＣリーダ３０がＮＦＣタグ４６の所定距離内に近接したことが検出された時点（Ｓ１１０：ＹＥＳ）において、設定値がＭＦＰ５１側で入力されている場合（Ｓ９０、Ｓ９０ａ、Ｓ９０ｂ、Ｓ１５４：ＹＥＳ）には、通信設定情報、選択機能情報、設定値がタグ記憶部４７に記憶されている。よって、通信設定情報、選択機能情報、設定値が、ＮＦＣタグ４６からＮＦＣリーダ３０へ送信される。これにより、ＭＦＰ５１側で入力した各種の設定値の入力内容を、携帯電話１０に引き継ぐことが可能となる。一方、ＮＦＣリーダ３０がＮＦＣタグ４６の所定距離内に近接したことが検出された時点（Ｓ１１０：ＹＥＳ）において、設定値がＭＦＰ５１側で入力されていない場合（Ｓ８６、Ｓ８６ａ、Ｓ８６ｂ、Ｓ１５４：ＮＯ）には、通信設定情報および選択機能情報はタグ記憶部４７に記憶されているが、設定値はタグ記憶部４７に記憶されていない。よって、通信設定情報および選択機能情報が、ＮＦＣタグ４６からＮＦＣリーダ３０へ送信される。この場合、設定値が未入力の状態となる。
【００４９】
図８を用いて、携帯電話１０との連携処理を説明する。Ｓ１１４において、ＣＰＵ３２は、無線ＬＡＮ通信の接続要求（Ｓ２１６）を受信したか否かを判断する。受信していない場合（Ｓ１１４：ＮＯ）にはＳ１１４へ戻り、受信した場合（Ｓ１１４：ＹＥＳ）にはＳ１１５へ進む。Ｓ１１５においてＣＰＵ３２は、タグ記憶部４７に記憶されている通信設定情報を用いて、無線送受信部３６に無線ＬＡＮ通信２０３を確立させる。
【００５０】
Ｓ１１６においてＣＰＵ３２は、無線ＬＡＮ通信２０３を介して、実行指示情報を携帯電話１０から受信する。実行指示情報は、ＭＦＰ５１が備えている複数の機能のうちの何れかの機能を用いて画像処理を実行する旨を、ＭＦＰ５１に指示するための情報である。また実行指示情報は、実行指示情報によって実行が指示されている画像処理に関する設定値を含んでいる。Ｓ１１６ａにおいてＣＰＵ３２は、記憶部３３に記憶されている実行指示情報フラグを「受信有り」に設定する。
【００５１】
Ｓ１１７においてＣＰＵ３２は、受信した実行指示情報によって指示された機能を用いて、画像処理の実行を開始する。実行指示情報によって印刷機能による画像処理が指示されている場合（Ｓ１１７：印刷機能）には、Ｓ１２８へ進む。Ｓ１２８においてＣＰＵ３２は、印刷データを携帯電話１０から受信する。Ｓ１２９においてＣＰＵ３２は、受信した印刷データを、設定値に従いプリンタ１９に印刷させる。そしてＳ１１４へ戻る。
【００５２】
また、受信した実行指示情報によってファックス送信機能が指示されている場合（Ｓ１１７：ファックス送信機能）には、Ｓ１３８へ進む。Ｓ１３８においてＣＰＵ３２は、ファックスデータを携帯電話１０から受信する。Ｓ１３９においてＣＰＵ３２は、受信したファックスデータを、設定値に従いモデム４０に送信させる。そしてＳ１１４へ戻る。
【００５３】
また、受信した実行指示情報によってスキャン機能による画像処理が指示されている場合（Ｓ１１７：スキャン機能）には、Ｓ１２５（図９）へ進む。Ｓ１２５においてＣＰＵ３２は、スキャナ２０の原稿台にセットされた原稿をスキャンする処理を実行する。スキャン処理は、実行指示情報に含まれている設定値に従って行われる。Ｓ１２６においてＣＰＵ３２は、スキャン処理により生成されたデータを、無線ＬＡＮ通信２０１および２０３を介して携帯電話１０へ送信する。そしてＳ１１４（図８）へ戻る。
【００５４】
また、受信した実行指示情報によって受信ファックス閲覧機能による画像処理が指示されている場合（Ｓ１１７：受信ファックス閲覧機能）には、Ｓ１１８（図１０）へ進む。Ｓ１１８においてＣＰＵ３２は、データリスト送信要求を携帯電話１０から受信したか否かを判断する。データリスト送信要求は、ファックス受信処理によって取得された画像データのデータリストを、無線ＬＡＮ通信２０３を用いて携帯電話１０へ送信する旨の要求である。データリスト送信要求を受信していない場合（Ｓ１１８：ＮＯ）にはＳ１２０へ進み、データリスト送信要求が受信された場合（Ｓ１１８：ＹＥＳ）には、Ｓ１１９へ進む。Ｓ１１９においてＣＰＵ３２は、データリストを記憶部３３から読み出して、携帯電話１０へ送信する。そしてＳ１２０へ進む。なお、データリストは、ファックス受信処理によって取得された画像データの識別情報を少なくとも含んでいる。
【００５５】
Ｓ１２０においてＣＰＵ３２は、閲覧対象ファックスデータの識別情報を含んだ閲覧対象ファックスデータ送信要求を、携帯電話１０から受信したか否かを判断する。閲覧対象ファックスデータ送信要求は、閲覧対象ファックスデータを無線ＬＡＮ通信２０３を用いて携帯電話１０へ送信する旨の要求である。閲覧対象ファックスデータ送信要求を受信していない場合（Ｓ１２０：ＮＯ）にはＳ１２０へ戻り、受信した場合（Ｓ１２０：ＹＥＳ）にはＳ１２３へ進む。
【００５６】
Ｓ１２３において、ＣＰＵ３２は、閲覧対象ファックスデータ送信要求に含まれている閲覧対象ファックスデータの識別情報により識別される閲覧対象ファックスデータを、無線ＬＡＮ通信２０１および２０３を介して携帯電話１０へ送信する。そしてＳ１１４（図８）へ戻る。
【００５７】
図１１を用いて、タグ記憶部４７に記憶されている通信設定情報を更新する処理を説明する。Ｓ１３０においてＣＰＵ３２は、ネットワーク設定画面を表示させる命令が入力されたか否かを判断する。ネットワーク設定画面は、タグ記憶部４７に記憶されている通信設定情報に含まれている、各種の設定値を設定するための画面である。ネットワーク設定画面を表示させる命令は、例えばボタン入力部３８を介して入力されてもよい。
【００５８】
Ｓ１３２においてＣＰＵ３２は、通信設定情報に含まれている設定値の１つである、アクセスポイント情報が変更されたか否かを判断する。変更されていない場合（Ｓ１３２：ＮＯ）にはＳ１４２へ進み、変更された場合（Ｓ１３２：ＹＥＳ）にはＳ１３４へ進む。Ｓ１３４においてＣＰＵ３２は、変更後のアクセスポイント情報を、タグ記憶部４７に上書き記憶する。
【００５９】
Ｓ１４２においてＣＰＵ３２は、通信設定情報である、ＭＦＰ−ＩＰアドレスが変更されたか否かを判断する。変更されていない場合（Ｓ１４２：ＮＯ）にはＳ１３０へ戻り、変更された場合（Ｓ１４２：ＹＥＳ）にはＳ１４４へ進む。Ｓ１４４においてＣＰＵ３２は、変更後のＭＦＰ−ＩＰアドレスを、タグ記憶部４７に上書き記憶する。そしてＳ１３０へ戻る。
【００６０】
＜携帯電話の動作＞
図１２〜図１５を用いて、携帯電話１０で行われる処理を説明する。図１２〜図１５のフローは、ＣＰＵ１１により制御アプリケーション２６が実行されることに応じて開始される。Ｓ２１２においてＣＰＵ１１は、ＭＦＰ５１に備えられているＮＦＣタグ４６が、ＮＦＣリーダ３０の所定距離内に近接したか否かを判断する。近接していない場合（Ｓ２１２：ＮＯ）にはＳ２１２へ戻り、近接した場合（Ｓ２１２：ＹＥＳ）にはＳ２１４へ進む。
【００６１】
Ｓ２１４において、ＣＰＵ１１は、ＮＦＣタグ４６からＮＦＣ通信２００を介して送信されてきた情報を、ＮＦＣリーダ３０に受信させる。設定値がＭＦＰ５１側で入力されている場合に、ＮＦＣリーダ３０がＮＦＣタグ４６の所定距離内に近接した場合には、ＮＦＣタグ４６から送信されてくる情報には、通信設定情報、選択機能情報、設定値、が含まれている。一方、設定値がＭＦＰ５１側で入力されていない場合に、ＮＦＣリーダ３０がＮＦＣタグ４６の所定距離内に近接した場合には、ＮＦＣタグ４６から送信されてくる情報には、通信設定情報および選択機能情報が含まれているが、設定値は含まれていない。
【００６２】
Ｓ２１５においてＣＰＵ１１は、ＮＦＣタグ４６から送信されてきた情報に、通信設定情報および選択機能情報が含まれているか否かを判断する。含まれていない場合（Ｓ２１５：ＮＯ）には、タグ記憶部４７に通信設定情報および選択機能情報が記憶されていない場合に、ＮＦＣタグ４６がＮＦＣリーダ３０の所定距離内に近接し、ＮＦＣ通信２００が実行された場合であると判断され、Ｓ２１２へ戻る。一方、ＮＦＣタグ４６から送信されてきた情報に、通信設定情報および選択機能情報が含まれている場合（Ｓ２１５：ＹＥＳ）には、Ｓ２１６へ進む。
【００６３】
Ｓ２１６においてＣＰＵ１１は、無線送受信部１５に、アクセスポイント６２への無線接続を実行させる。またＣＰＵ１１は、無線ＬＡＮ通信の接続要求を、ＮＦＣ通信２００を介してＭＦＰ５１へ送信する。Ｓ２１８において、ＣＰＵ１１は、無線ＬＡＮ通信２０１および２０３を用いて、ＭＦＰ５１との通信を確立する。
【００６４】
Ｓ２２１においてＣＰＵ１１は、選択機能情報を用いて、ＭＦＰ５１で選択されている機能の種類を判断する。印刷機能がＭＦＰ５１で選択されていると判断される場合（Ｓ２２１：印刷）には、Ｓ２２２へ進む。
【００６５】
Ｓ２２２において、ＣＰＵ１１は、印刷アプリケーション２８を起動する。Ｓ２２４においてＣＰＵ１１は、ＭＦＰ５１のＮＦＣタグ４６から送信されてきた情報に、設定値が含まれているか否かを判断する。設定値が含まれていない場合（Ｓ２２４：ＮＯ）にはＳ２２８へ進み、含まれている場合（Ｓ２２４：ＹＥＳ）にはＳ２２６へ進む。Ｓ２２６において、ＣＰＵ１１は、ＮＦＣタグ４６から送信されてきた設定値を記憶部１２に記憶させる。
【００６６】
Ｓ２２８において、ＣＰＵ１１は、設定値入力受付画面をパネル１８に表示する。また、Ｓ２２６の処理によって記憶部１２に記憶された設定値が存在する場合には、ＣＰＵ１１は、当該設定値を設定値入力受付画面に表示する。これにより、ＭＦＰ５１側で入力された設定値の内容が、携帯電話１０に引き継がれる。Ｓ２３２において、ＣＰＵ１１は、設定値の入力受付処理を実行する。設定値の入力受付処理では、ＣＰＵ１１は、設定値入力受付画面に表示された設定値の変更をボタン入力部１７を介して受け付ける。設定値が変更されると、ＣＰＵ１１は、変更後の設定値を設定値入力受付画面に表示する。そして、設定値を確定する旨の命令入力が受け付けられると、Ｓ２３６へ進む。設定値を確定する旨の命令入力は、例えばボタン入力部１７を介して入力されるとしてもよい。
【００６７】
Ｓ２３６において、ＣＰＵ１１は、Ｓ２３２で入力された設定値（設定値入力受付画面に表示された設定値）を、記憶部１２に記憶させる。これにより、新たな設定値の入力や、入力済みの設定値の変更が行われる。
【００６８】
Ｓ２３７においてＣＰＵ１１は、記憶部１２に記憶されている画像データの中から、印刷対象の画像データ（印刷データ）の選択が行われたか否かを判断する。選択が実行されていない場合（Ｓ２３７：ＮＯ）にはＳ２３７へ戻り、選択が実行された場合（Ｓ２３７：ＹＥＳ）にはＳ２４０へ進む。
【００６９】
Ｓ２４０において、ＣＰＵ１１は、印刷処理の実行命令の入力が受け付けられたか否かを判断する。印刷処理の実行命令の入力は、例えば、携帯電話１０のボタン入力部１７を介して受け付けられてもよい。印刷処理の実行命令が入力されていない場合（Ｓ２４０：ＮＯ）にはＳ２４０へ戻り、入力された場合（Ｓ２４０：ＹＥＳ）にはＳ２４２へ進む。
【００７０】
Ｓ２４２において、ＣＰＵ１１は、印刷処理を実行する旨の実行指示情報を生成する。実行指示情報の生成では、実行指示情報に、記憶部１２に記憶されている設定値が組み込まれる。そしてＣＰＵ１１は、生成した実行指示情報と、Ｓ２３７で選択された印刷データを、無線ＬＡＮ通信２０１および２０３を介してＭＦＰ５１に送信する。そしてＳ２１２へ戻る。
【００７１】
また、スキャン機能がＭＦＰ５１で選択されていると判断される場合（Ｓ２２１：スキャン）には、Ｓ２２２ａ（図１３）へ進む。Ｓ２２２ａにおいて、ＣＰＵ１１は、スキャンアプリケーション２８ａを起動する。Ｓ２２４ａ〜Ｓ２３６ａまでの各処理の内容は、前述のＳ２２４〜Ｓ２３６（図１２）と同様であるため、説明を省略する。Ｓ２４０ａにおいて、ＣＰＵ１１は、スキャン処理の実行命令の入力が受け付けられたか否かを判断する。スキャン処理の実行命令が入力されていない場合（Ｓ２４０ａ：ＮＯ）にはＳ２４０ａへ戻り、スキャン処理の実行命令が入力された場合（Ｓ２４０ａ：ＹＥＳ）にはＳ２４２ａへ進む。
【００７２】
Ｓ２４２ａにおいて、ＣＰＵ１１は、スキャン処理を実行する旨の実行指示情報を生成する。実行指示情報の生成では、実行指示情報に、記憶部１２に記憶されている設定値が組み込まれる。そしてＣＰＵ１１は、生成した実行指示情報を、無線ＬＡＮ通信２０１および２０３を介してＭＦＰ５１に送信する。Ｓ２９２においてＣＰＵ１１は、スキャン処理により生成された画像データを、無線ＬＡＮ通信２０１および２０３を介して、ＭＦＰ５１から受信したか否かを判断する。受信していない場合（Ｓ２９２：ＮＯ）にはＳ２９２へ戻り、受信した場合（Ｓ２９２：ＹＥＳ）にはＳ２９４へ進む。Ｓ２９４においてＣＰＵ１１は、受信した画像データを記憶部１２に記憶させる。そしてＳ２１２（図１２）へ戻る。
【００７３】
また、ファックス送信機能がＭＦＰ５１で選択されていると判断される場合（Ｓ２２１：ファックス送信）には、Ｓ２２２ｂ（図１４）へ進む。Ｓ２２２ｂにおいて、ＣＰＵ１１は、ファックス送信アプリケーション２８ｂを起動する。Ｓ２２４ｂ〜Ｓ２３６ｂまでの各処理の内容は、前述のＳ２２４〜Ｓ２３６（図１２）と同様であるため、説明を省略する。Ｓ２３７ｂにおいてＣＰＵ１１は、記憶部１２に記憶されている画像データの中から、ＭＦＰ５１にファックス送信させる対象の画像データ（ファックス送信データ）の選択が行われたか否かを判断する。選択が実行されていない場合（Ｓ２３７ｂ：ＮＯ）にはＳ２３７ｂへ戻り、選択が実行された場合（Ｓ２３７ｂ：ＹＥＳ）にはＳ２４０ｂへ進む。
【００７４】
Ｓ２４０ｂにおいて、ＣＰＵ１１は、ファックス送信処理の実行命令の入力が受け付けられたか否かを判断する。ファックス送信処理の実行命令の入力は、例えば、携帯電話１０のボタン入力部１７を介して受け付けられてもよい。ファックス送信処理の実行命令が入力されていない場合（Ｓ２４０ｂ：ＮＯ）にはＳ２４０ｂへ戻り、入力された場合（Ｓ２４０ｂ：ＹＥＳ）にはＳ２４２ｂへ進む。Ｓ２４２ｂにおいて、ＣＰＵ１１は、ファックス送信処理を実行する旨の実行指示情報を生成する。実行指示情報の生成では、実行指示情報に、記憶部１２に記憶されている設定値（例：送信先のファックス番号）が組み込まれる。そしてＣＰＵ１１は、生成した実行指示情報と、Ｓ２３７ｂで選択されたファックス送信データを、無線ＬＡＮ通信２０１および２０３を介してＭＦＰ５１に送信する。そしてＳ２１２（図１２）へ戻る。
【００７５】
また、受信ファックス閲覧機能がＭＦＰ５１で選択されていると判断される場合（Ｓ２２１：受信ファックス閲覧）には、Ｓ３１２（図１５）へ進む。Ｓ３１２において、ＣＰＵ１１は、受信ファックス閲覧アプリケーション２８ｃを起動する。Ｓ３１４においてＣＰＵ１１は、ＭＦＰ５１のＮＦＣタグ４６から送信されてきた情報に、設定値（閲覧対象ファックスデータの識別情報）が含まれているか否かを判断する。設定値（閲覧対象ファックスデータの識別情報）が含まれている場合（Ｓ３１４：ＹＥＳ）にはＳ３１５へ進み、ＣＰＵ１１は、受信した設定値（閲覧対象ファックスデータの識別情報）を記憶部１２に記憶させる。そしてＳ３２６へ進む。一方、設定値（閲覧対象ファックスデータの識別情報）が含まれていない場合（Ｓ３１４：ＮＯ）にはＳ３１６へ進む。Ｓ３１６においてＣＰＵ１１は、データリスト送信要求を、無線ＬＡＮ通信２０１および２０３を介してＭＦＰ５１へ送信する。Ｓ３１８においてＣＰＵ１１は、データリストをＭＦＰ５１から受信したか否かを判断する。受信していない場合（Ｓ３１８：ＮＯ）にはＳ３１８へ戻り、受信した場合（Ｓ３１８：ＹＥＳ）にはＳ３２０へ進む。
【００７６】
Ｓ３２０において、ＣＰＵ１１は、選択受付画面をパネル１８に表示させる。また、Ｓ３１５の処理によって記憶部１２に記憶された設定値（閲覧対象ファックスデータの識別情報）が存在する場合には、ＣＰＵ１１は、当該設定値により識別される閲覧対象ファックスデータを選択受付画面に表示する。これにより、ＭＦＰ５１側で実行された閲覧対象ファックスデータの選択操作が、携帯電話１０に引き継がれる。Ｓ３２２において、ＣＰＵ１１は、閲覧対象ファックスデータの選択が行われたか否かを判断する。選択が実行されていない場合（Ｓ３２２：ＮＯ）にはＳ３２２へ戻り、選択が実行された場合（Ｓ３２２：ＹＥＳ）にはＳ３２４へ進む。Ｓ３２４において、ＣＰＵ１１は、閲覧対象ファックスデータの識別情報を、記憶部１２に記憶させる。これにより、新たな閲覧対象ファックスデータの選択や、選択済みの閲覧対象ファックスデータの変更が行われる。
【００７７】
Ｓ３２６において、ＣＰＵ１１は、閲覧対象ファックスデータの識別情報を含んだ閲覧対象ファックスデータ送信要求を、ＭＦＰ５１へ送信する。Ｓ３２８においてＣＰＵ１１は、閲覧対象ファックスデータを、無線ＬＡＮ通信２０１および２０３を介してＭＦＰ５１から受信したか否かを判断する。受信していない場合（Ｓ３２８：ＮＯ）にはＳ３２８へ戻り、受信した場合（Ｓ３２８：ＹＥＳ）にはＳ３３０へ進む。Ｓ３３０においてＣＰＵ１１は、受信した閲覧対象ファックスデータを記憶部１２に記憶させる。そしてＳ２１２（図１２）へ戻る。
【００７８】
＜効果＞
以上説明した、本実施形態の説明例に係る通信システム１の効果を説明する。ＮＦＣリーダ３０を備える携帯電話１０をＮＦＣタグ４６を中心とする所定距離（例：１０ｃｍ）内に近接させるという操作によって（Ｓ１１０：Ｙ、Ｓ２１２：Ｙ）、ＮＦＣ通信２００の確立を開始した時点においてＭＦＰ５１が実行している画像処理の種類を、携帯電話１０に報知することができる（Ｓ１１２）。そして、報知した画像処理の種類に対応する実行指示情報を、携帯電話１０から受信することができる（Ｓ１１６）。よって、ＭＦＰ５１で実行している画像処理の種類を確認する作業などを不要とすることができ、直感的な操作を可能とすることができる。よって、ユーザの利便性を高めることができる。
【００７９】
ＮＦＣ通信２００の確立を開始した時点（Ｓ１１０：Ｙ、Ｓ２１２：Ｙ）においてＭＦＰ５１が実行している画像処理の種類を携帯電話１０に報知（Ｓ１１２）することで、携帯電話１０に、機能に応じたアプリケーションを起動させることができる（Ｓ２２２、Ｓ２２２ａ、Ｓ２２２ｂ、Ｓ３１２）。例えば、ＭＦＰ５１で実行する機能として印刷機能が選択されている場合には（Ｓ７８）、携帯電話１０は、選択機能情報を用いて、印刷機能がＭＦＰ５１で選択されていると判断することができる（Ｓ２２１：印刷）。そして、ＭＦＰ５１で選択されている機能に対応したアプリケーション（印刷アプリケーション２８）を自動で起動することができる（Ｓ２２２）。よって、携帯電話１０で起動させるアプリケーションの選択するための操作を不要とすることができ、直感的な操作を可能とすることができる。
【００８０】
ＮＦＣ通信２００の通信可能距離は、無線ＬＡＮ通信２０３の通信可能距離よりも小さい。これにより、ＭＦＰが複数存在する場合にも、データ通信を実行させたいＭＦＰの所定距離内に携帯電話１０を近接させることで、近接させたＭＦＰを通信対象のＭＦＰとして選択することができる。すなわち、ＮＦＣ通信２００を用いることで、通信を実行したいＭＦＰに携帯電話１０をかざすという直感的な操作により、通信対象のＭＦＰを特定することが可能となる。
【００８１】
無線ＬＡＮ通信２０１および２０３の通信速度は、ＮＦＣ通信２００の通信速度よりも速い。また、画像データの通信は、無線ＬＡＮ通信２０１および２０３を用いて実行される（Ｓ１２３、Ｓ１２６、Ｓ１２８、Ｓ１３８）。これにより、ＮＦＣ通信２００を用いる場合に比して、画像データの通信を高速化することができるため、画像データの通信時間を短縮化することが可能となる。
【００８２】
ＮＦＣ通信２００の確立を開始した時点（Ｓ１１０：Ｙ、Ｓ２１２：Ｙ）においてＭＦＰ５１側に設定値の内容が入力されている場合には（Ｓ９０、Ｓ９０ａ、Ｓ９０ｂ、Ｓ１５４：ＹＥＳ）、当該設定値を、携帯電話１０側に取得させることができる（Ｓ２１４）。よって、ＭＦＰ５１側で入力済の設定値の入力内容を、携帯電話１０に引き継ぐことが可能となる。これにより、ＭＦＰ５１で入力済みの設定値を携帯電話１０で再度入力する手間を不要とすることができ、ユーザの利便性を高めることができる。
【００８３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。以下に変形例を説明する。
【００８４】
＜変形例＞
本実施形態では、ＮＦＣ通信２００と、無線ＬＡＮ通信２０１および２０３との２種類の通信経路を用いる場合を説明したが、この形態に限られない。無線ＬＡＮ通信２０１および２０３の１種類の通信経路のみを用いる場合においても、本明細書に開示されている技術を適用することが可能である。この場合、Ｓ１１０においては、無線ＬＡＮ通信２０１および２０３の接続が開始されたか否かを判断すればよい。そしてＳ１１２において、通信設定情報、選択機能情報、設定値などの情報を、無線ＬＡＮ通信２０１および２０３を介して携帯電話１０へ送信すればよい。
【００８５】
携帯電話１０から実行指示情報を受信したか否かを、ＭＦＰ５１のＣＰＵ３２が監視する形態としてもよい。例えば、印刷処理（図３）、スキャン処理（図４）、ファックス送信処理（図５）の処理と平行して、携帯電話１０から実行指示情報を受信したか否かを監視する監視処理を、ＣＰＵ３２が実行するとしてもよい。実行指示情報を受信したか否かの判断は、例えば、記憶部３３から読み出される実行指示情報フラグが「受信有り」であるか否かによって行われてもよい。携帯電話１０から実行指示情報を受信した場合は、実行指示情報に基づいて印刷処理が実行される場合であり、ＭＦＰ５１で印刷命令を入力する必要がなくなった場合であると判断することができる。よってこの場合には、ＣＰＵ３２は、タグ記憶部４７へ記憶させていた選択機能情報（Ｓ８２）および設定値（Ｓ９２、９２ａ、９２ｂ）を消去するとともに、記憶部３３に記憶されている実行指示情報フラグを「受信無し」にリセットするとしてもよい。
【００８６】
携帯電話１０が、アクセスポイント６２との間で無線ＬＡＮ通信２０１を行う場合を説明したが、この形態に限られない。携帯電話１０とアクセスポイント６２とがＬＡＮケーブル等によって接続されており、有線通信を行う形態であってもよい。この場合、携帯電話１０は、アクセスポイント６２のＳＳＩＤを通知されなくても、ＭＦＰ５１との通信を確立することができる。よって、ＮＦＣ通信２００によってＭＦＰ５１から携帯電話１０へ送信される通信設定情報（Ｓ１１２）には、少なくともＭＦＰ５１のＩＰアドレスが含まれていればよい。
【００８７】
閲覧対象ファックスデータ送信要求の受信（Ｓ１２０）や、データリスト送信要求の受信（Ｓ１１８）や、データリストの送信（Ｓ１１９）を、無線ＬＡＮ通信２０３を用いて実行する場合を説明したが、この形態に限られず、ＮＦＣ通信２００を用いて実行してもよい。
【００８８】
ファックス送信機能および受信ファックス閲覧機能を実行するための通信は、電話回線網１００を用いた通信に限られない。不図示のインターネット網を用いた通信を用いてもよい。
【００８９】
携帯電話１０およびＭＦＰ５１は、アクセスポイント６２を介さないアドホックモードによって、無線ＬＡＮ通信を行うことも可能である。
【００９０】
また携帯電話１０に代えて、ノートパソコンなどの通信機能を有する機器を用いることも可能である。この場合、印刷アプリケーション２８、スキャンアプリケーション２８ａ、ファックス送信アプリケーション２８ｂ、受信ファックス閲覧アプリケーション２８ｃは、ノートパソコンにインストールされている、各種のドライバソフトであってもよい。
【００９１】
ＮＦＣタグを備えるＭＦＰは、ＭＦＰ５１の１台に限られず、多数存在してもよい。
【００９２】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００９３】
プリンタ１９、スキャナ２０、モデム４０は画像処理実行手段の一例である。Ｓ７８を実行するＣＰＵ３２は、選択受付手段の一例である。携帯電話１０は情報処理端末の一例である。ＮＦＣタグ４６および無線送受信部３６は、通信手段の一例である。選択機能情報は画像処理情報の一例である。ＭＦＰ５１は画像処理装置の一例である。ＮＦＣ通信２００は第１種通信の一例である。ＮＦＣタグ４６は第１種通信手段の一例である。無線ＬＡＮ通信２０３は第２種通信の一例である。無線送受信部３６は第２種通信手段の一例である。Ｓ８８〜Ｓ８８ｂを実行するＣＰＵ３２は、設定受付手段の一例である。Ｓ９２〜Ｓ９２ｂを実行するＣＰＵ３２は、記憶部の一例である。モデム４０は画像送受信手段の一例である。電話回線網１００は外部ネットワークの一例である。タグ記憶部４７はタグ記憶部の一例である。記憶部３３は記憶部の一例である。
【符号の説明】
【００９４】
１：通信システム、１０：携帯電話、１１：ＣＰＵ、１２および３３：記憶部、５１：ＭＦＰ、３６：無線送受信部、３９：パネル、４６：ＮＦＣタグ、２００：ＮＦＣ通信、２０１および２０３：無線ＬＡＮ通信
【図１】
2013214806.tif 000003
【図２】
2013214806.tif 000004
【図３】
2013214806.tif 000005
【図４】
2013214806.tif 000006
【図５】
2013214806.tif 000007
【図６】
2013214806.tif 000008
【図７】
2013214806.tif 000009
【図８】
2013214806.tif 000010
【図９】
2013214806.tif 000011
【図１０】
2013214806.tif 000012
【図１１】
2013214806.tif 000013
【図１２】
2013214806.tif 000014
【図１３】
2013214806.tif 000015
【図１４】
2013214806.tif 000016
【図１５】
2013214806.tif 000017